【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
対象に関する少なくとも１つのパラメータを測定するのに適した光学測定システムであって、前記光学測定システムは、スーパーコンティニウム光源と、前記対象からの光を検出する検出器とを備え、
前記スーパーコンティニウム光源は、
光源出力部を有し、且つ中間スーパーコンティニウム光源及び結合ユニットを含み、
前記中間スーパーコンティニウム光源が、
a．パルス周波数Ｆｓｅｅｄを備えたシードパルスを供給するように構成されたシードレーザと、
ｂ．前記シードパルスを倍増するように、且つＦｓｅｅｄを、パルス周波数Ｆｐｕｍｐを備えたポンプパルスに変換するように構成されたパルス周波数逓倍器（ＰＦＭ）であって、ＦｐｕｍｐがＦｓｅｅｄより大きい、前記パルス周波数逓倍器（ＰＦＭ）と、
ｃ．前記ポンプパルスを受信し、前記ポンプパルスを、非線形素子の出力として供給され且つ少なくとも約λ１から約λ２にわたるスーパーコンティニウムスペクトルを有するスーパーコンティニウム光に変換するように構成された非線形素子であって、λ２−λ１＞約５００ｎｍである、前記非線形素子と、を含み、
前記スーパーコンティニウム光源は、前記結合ユニットの出力の少なくとも一部分を用いて測定対象を照射するように構成され、
前記検出器は、測定対象から反射された光を受信するように構成され、
前記検出器は、少なくとも約１/パルス周波数Ｆｐｕｍｐの積分時間を有する、光学測定システム。
【請求項２】
前記非線形素子からの出力が、前記結合ユニットからの出力を供給するために、前記結合ユニットに結合され、
前記光源の出力が、前記結合ユニットからの前記出力を含む、請求項１に記載の光学測定システム。
【請求項３】
前記結合ユニットが、前記非線形素子からの前記スーパーコンティニウムスペクトルの減衰及び成形のうちの少なくとも一方を実行するように構成される、請求項２に記載の光学測定システム。
【請求項４】
前記結合ユニットが、前記結合ユニットからの出力スペクトルがλ３からλ４までにわたるように、前記スーパーコンティニウム光を受信し、且つスーパーコンティニウム光をスペクトル的に成形するように構成され、ここでλ３−λ４＞０、λ３≧λ１、及びλ４≦λ２である、請求項２又は３に記載の光学測定システム。
【請求項５】
λ３〜λ４が、約１００ｎｍより大きい、請求項４に記載の光学測定システム。
【請求項６】
λ３が、約１０００ｎｍより小さい、請求項４又は５に記載の光学測定システム。
【請求項７】
λ４が、約１０７０ｎｍより大きい、請求項４〜６のいずれか１項に記載の光学測定システム。
【請求項８】
前記結合ユニットが、プリズム、ローパス光学フィルタ、ハイパス光学フィルタ、バンドパス光学フィルタ、及び単一モードファイバのうちの少なくとも１つを含む、請求項１〜７のいずれか一項に記載の光学測定システム。
【請求項９】
前記結合ユニットが、前記中間スーパーコンティニウム光源からの前記スペクトルを、ガウススペクトル、二重ピークスペクトル、又はフラットトップスペクトルに
成形するように構成される、請求項８に記載の光学測定システム。
【請求項１０】
前記結合ユニットにおける前記スーパーコンティニウムスペクトルの減衰が、光パワー減衰係数ｙによって与えられ、
前記光パワー減衰係数ｙが、波長領域λ４〜λ３内における前記光パワー減衰の尺度であり、
前記光パワー減衰係数ｙが、約２より大きい、請求項３〜９のいずれか一項に記載の光学測定システム。
【請求項１１】
前記結合ユニットが、前記減衰を実行するために、
ｉ）前記非線形素子から前記結合ユニットへの前記出力の不整合又は不一致、
ｉｉ）前記結合ユニットへの入力及び前記結合ユニットからの出力のうちの少なくとも一方におけるスプライス損失、又は
ｉｉｉ）ニュートラルデンシティフィルタなどの広帯域減衰フィルタ又は広帯域ビームスプリッタの少なくとも１つを含む、請求項２〜１０のいずれか一項に記載の光学測定システム。
【請求項１２】
前記結合ユニットが、
前記非線形素子に結合するための入力部と、
前記結合ユニットの入力部におけるダイクロイック素子であって、閾値波長λ５未満の波長を送信するように構成され、λ５＞λ３である前記ダイクロイック素子と、
プリズム、ローパス光学フィルタ、ハイパス光学フィルタ、又はバンドパス光学フィルタの少なくとも１つと、
光ファイバであって、その出力が、前記結合ユニットからの出力である前記光ファイバと、
を含む、請求項１〜１１のいずれか一項に記載の光学測定システム。
【請求項１３】
前記ダイクロイック素子が、光ファイバであり、
前記光ファイバが、ステップインデックスファイバ、又は空気若しくは低指数ガラス材料の形状を有する微細構造を含む微細構造ファイバである、請求項１２に記載の光学測定システム。
【請求項１４】
前記結合ユニットからの出力における合計光パワーが、約１００ｍＷ未満である、請求項１〜１３のいずれか一項に記載の光学測定システム。
【請求項１５】
前記シードレーザが、パルス幅ｔｓｅｅｄを備えたシードパルスを供給するように構成され、
前記パルス幅ｔｓｅｅｄが、約０．１ｐｓより長い、請求項１〜１４のいずれか一項に記載の光学測定システム。
【請求項１６】
前記シードレーザが、パルス幅ｔｓｅｅｄを備えたシードパルスを供給するように構成され、
前記パルス幅ｔｓｅｅｄが、約１μｓより短い、請求項１〜１５のいずれか一項に記載の光学測定システム。
【請求項１７】
前記非線形素子が、光ファイバである、請求項１〜１６のいずれか一項に記載の光学測定システム。
【請求項１８】
前記中間スーパーコンティニウム光源が、ＰＢＧファイバなどのパルス圧縮器を含み、
前記パルス圧縮器が、前記パルス周波数逓倍器（ＰＦＭ）から前記パルスを受信し、時間圧縮されたパルスを前記非線形素子に出力するように構成される、請求項１〜１７のいずれか一項に記載の光学測定システム。
【請求項１９】
前記中間スーパーコンティニウム光源が、非干渉光源である、請求項１〜１８のいずれか一項に記載の光学測定システム。
【請求項２０】
前記結合ユニットの前記出力の全てにおける大部分は、例えば少なくとも約９０％で、前記測定対象を照明するように構成される、請求項１〜１９のいずれか一項に記載の光学測定システム。
【請求項２１】
前記対象からの光を検出するための検出器を更に備え、
前記対象が、人間又は動物の体の一部である、請求項２０に記載の光学測定システム。
【請求項２２】
前記検出器が、５０／Ｆｐｕｍｐより長い、請求項２０又は２１に記載の光学測定システム。
【請求項２３】
前記光学測定システムは、
白色光干渉計に基づく、前記対象から反射された光を測定するように構成された反射モード測定システムである、請求項２０〜２２のいずれか一項に記載の光学測定システム。
【請求項２４】
前記結合ユニットは、単一モード結合ユニットである、請求項１〜２３のいずれか１項に記載の光学測定システム。
【請求項２５】
前記結合ユニットは、光ファイバを含み、
前記光ファイバは、単一モードファイバである、請求項２４に記載の光学測定システム。
【請求項２６】
前記パルス周波数逓倍器（ＰＦＭ）は、
Ｆｓｅｅｄを、少なくとも約１５０ＭＨｚであるパルス周波数Ｆｐｕｍｐを備えたポンプパルスに変換するように構成される、請求項２〜２５のいずれか１項に記載の光学測定システム。
【請求項２７】
前記光学測定システムは、
時間領域、周波数領域、又はスイープ光源ＯＣＴから選択された光干渉断層撮影法（ＯＣＴ）などの白色光干渉計に基づく、請求項２６に記載の光学測定システム。
【請求項２８】
測定対象に関する少なくとも１つのパラメータを測定する方法であって、
ａ．請求項１〜２７のいずれか一項に記載のスーパーコンティニウム光源を提供すること、
ｂ．前記結合ユニットの出力の少なくとも一部で、前記測定対象を照明すること、
ｃ．検出器によって前記対象からの光を検出すること、
を備える方法。
【請求項２９】
前記結合ユニットからの出力スペクトルは、前記中間スーパーコンティニウム光源からのλ３からλ４までにわたる波長範囲のスペクトルと異なる、請求項２８に記載の方法。